(57)【特許請求の範囲】
【請求項１】
外枠内に回転自在に配設した回転ドラムと、前記回転ドラム内へ温風を送風する送風手段と、前記回転ドラム内への送風経路に設けた加熱手段とを備え、前記回転ドラムは、後面略中央部に前記回転ドラム内の空気を吸気するための吸気口を設け、この吸気口の外周近傍に前記送風経路からの温風を送風するための複数個の送風口を形成し、内部が前記送風口と連通するようにバッフルを回転ドラムの内周壁面に取着し、前記バッフルの内壁面と前記回転ドラムの内周壁面とにより風洞を形成し、前記バッフルには、前記送風口の反対側である反温風流入側に前記送風口から前記風洞に送風された温風が前記回転ドラム内に送風されるための複数個の送風穴を設け、前記風洞には、前記送風穴と前記送風口の間の位置にバッフルの内壁面と一体で、かつ前記バッフルの内壁面と前記回転ドラムの内周壁面に沿うように環状リブを形成した衣類乾燥機。
【発明の詳細な説明】
【０００１】
【発明の属する技術分野】
本発明は家庭用のドラム式衣類乾燥機のドラム内バッフルに関するものである。
【０００２】
【従来の技術】
従来、衣類乾燥機のドラム内バッフルの取り付けおよびその構成は、図５、図６、図７、図８および図９のような構造となっていた。
【０００３】
すなわち、図５に示すように、鋼板製の外枠１内に鋼板製回転ドラム２を回転自在に配設し、前記ドラムへの衣類投入口３を外枠１の前面に形成する。前記回転ドラム２の後方にはファン４を配設し、それを回転させることによりドラム後面略中央部に設けた吸気口２−１より吸気し、ヒーター５により加熱された空気を前記回転ドラム２の送風口２−２よりドラム内に配設された風洞状バッフル６を介して送風穴６−１より送風する（図６参照）。そして、この構成により、回転ドラム２内の衣類を攪拌しつつ加熱乾燥させるものである。
【０００４】
しかしながら、この構成で衣類の乾燥を行うと、回転ドラム２内にて攪拌される衣類にヘヤーピン等各種の金属片が付着、混入していることが、おうおうにしてあり、これらの金属片がバッフルの送風穴６−１よりバッフル内に侵入しヒーター５側へ移動し感電事故等が発生する事が予想される。
【０００５】
従来の衣類乾燥機においては、このような事態を防止すべく、図５に示すようにバッフル６内に金網７等（図９参照）をバッフル内に配設していた。この取付方は、図７、図８に示すようにバッフル６内に少なくとも二面以上に形成されたリブ６−２間に狭持する等により配設することが一般的であった。
【０００６】
【発明が解決しようとする課題】
しかしながら上記の従来の衣類乾燥機の構成では、バッフル６内に侵入した異物がヒーター５側へ移動することを防止するために設けた金網７が組み立て作業ミス等により取付部から外れ、金網７がヒーター５側へ移動する恐れがあった。金網７が外れるとその機能を果たせなくなるばかりか不必要な部分にひっかかったりして、送風効率を低下させる場合も生ずる。
【０００７】
また、金網７と回転ドラム２のバッフル６で覆われた内壁面との接触部にて擦れが生じ、この擦れの部分に衣類からの水分が付着することにより錆びが発生し、これが衣類に付着するという場合があり、信頼性において問題があった。
【０００８】
本発明は上記課題を解決するもので、バッフル内に侵入した異物がヒーター側へ移動することを防止するとともに、この異物移動防止手段による衣類乾燥機への上記弊害を無くすことを目的としている。
【０００９】
【課題を解決するための手段】
この課題を解決するために本発明はバッフル内に異物が侵入した際の異物のヒーター側への移動防止手段をバッフルと一体に構成したものである。
【００１０】
これにより、異物の移動防止手段の外れ、およびドラムとの衝突を無くし錆びさびの発生を無くすことができるという効果が得られる。
【００１１】
【発明の実施の形態】
本発明の請求項に記載の発明は、外枠内に回転自在に配設した回転ドラムと、前記回転ドラム内へ温風を送風する送風手段と、前記回転ドラム内への送風経路に設けた加熱手段とを備え、前記回転ドラムは、後面略中央部に前記回転ドラム内の空気を吸気するための吸気口を設け、この吸気口の外周近傍に前記送風経路からの温風を送風するための複数個の送風口を形成し、内部が前記送風口と連通するようにバッフルを回転ドラムの内周壁面に取着し、前記バッフルの内壁面と前記回転ドラムの内周壁面とにより風洞を形成し、前記バッフルには、前記送風口の反対側である反温風流入側に前記送風口から前記風洞に送風された温風が前記回転ドラム内に送風されるための複数個の送風穴を設け、前記風洞には、前記送風穴と前記送風口の間の位置にバッフルの内壁面と一体で、かつ前記バッフルの内壁面と前記回転ドラムの内周壁面に沿うように環状リブを形成したものであり、前記リブにより衣類に混在していたピン等の異物がバッフルの送風穴からバッフルの風洞部内へ侵入した後、後面側へ移動する事が遮られ、さらにヒーター部へと移動することを防止するという作用を有する。
【００１２】
【実施例】
以下、本発明の実施の形態について、図１から図４を用いて説明する。なお、従来例と同じ構成のものは同一符号を付して説明する。
【００１３】
図１は衣類乾燥機の縦断面図を示し、衣類乾燥機の外枠１内に鋼板製回転ドラム２を回転自在に配設し、前記回転ドラムへの衣類投入口３を外枠１の前面に形成している。前記回転ドラム２の後方にはファン４を配設し、ヒーター５により加熱された空気を、前記回転ドラム２内に配設されたバッフル６を介して回転ドラム２内へ送風している。回転ドラム２は後面略中央部に吸気口２−１、この外周近傍に送風口２−２を設け、バッフル６は回転ドラム後面の吸気口２−１の外周近傍に形成された送風口２−２と連通している。
【００１４】
図２はバッフル６の外観斜視図の一例であり、合成樹脂により形成され、送風口２−２の反対側にバッフルへの送風穴６−１を設けており、図３、図４に示すように、送風口２−２側と送風穴６−１形成部との間に風洞部を形成するバッフル６の内周壁面（ドラム側を含む）に環状リブ６−３を形成している。
【００１５】
このリブ６−３により、ドラム内に投入された衣類にヘヤーピン等の金属片が混在していた際、これらの異物が衣類攪拌中にバッフルの送風穴６−１よりバッフル６内に侵入した場合、バッフルの送風口側を経てヒーター５の方へ移動することを防止するものである。衣類乾燥機の駆動時は、回転ドラム２が回転しているため、送風口６−１から侵入したヘヤーピン等の異物は、回転ドラム２の外周方向の力が加わる。これによりバッフル６の内周壁面に接しながら移動するため、バッフル６の内周壁面に形成された環状リブ６−３によりその移動を阻止され、異物がヒーター５側へ移動することはなくなる。
【００１６】
【発明の効果】
以上のように本発明によれば、ドラム内に配設されたバッフル内に侵入した異物がヒーター側へ移動することを防止するために金網を設ける必要が無く、金網が組み立て作業ミス等により取付部から外れることも生じなくなる。
【００１７】
また、金網とドラムとの接触部にて錆びが発生しこれが衣類に付着するという恐れも解消し、信頼性を高めると共に、構成する部品点数の削減がはかれ、組み立て作業工数および材料費の低減がはかれるという効果が得られる。
【図面の簡単な説明】
【図１】  本発明の衣類乾燥機の縦断面図
【図２】  同衣類乾燥機のバッフルの斜視図
【図３】  同バッフルの断面図
【図４】  図３のＢ−Ｂ’断面図
【図５】  従来の衣類乾燥機の縦断面図
【図６】  同ドラムへのバッフルの取付形態を示す図
【図７】  同バッフルの断面図
【図８】  図７のＡ−Ａ’断面図
【図９】  同異物移動防止用金網の構成図
【符号の説明】
１    外枠
２    回転ドラム
４    ファン
５    ヒーター
６    バッフル
６−３  バッフル内周壁面の環状リブ
【図１】
0003820673.tif 000002
【図２】
0003820673.tif 000003
【図３】
0003820673.tif 000004
【図４】
0003820673.tif 000005
【図５】
0003820673.tif 000006
【図６】
0003820673.tif 000007
【図７】
0003820673.tif 000008
【図８】
0003820673.tif 000009
【図９】
0003820673.tif 000010